(57)【要約】【課題】ユーザに情報提供を行う際に用いられるサービスに関する評価を適切に算出する。【解決手段】本願に係る算出装置は、取得部と、算出部とを有する。取得部は、所定の施設において提供されるサービスに関する情報と、所定の情報提供サービスにおいて提供されるサービスのコンテンツに関する情報を取得する。算出部は、サービスに関する情報とコンテンツに関する情報とに基づいて、サービスに関する評価を算出する。【選択図】図２
2018081606.tif 000002
【特許請求の範囲】
【請求項１】
所定の施設において提供されるサービスに関する情報と、所定の情報提供サービスにおいて提供される前記サービスのコンテンツに関する情報を取得する取得部と、
前記サービスに関する情報と前記コンテンツに関する情報とに基づいて、前記サービスに関する評価を算出する算出部と、
を備えたことを特徴とする算出装置。
【請求項２】
前記取得部は、
前記コンテンツが提供された各ユーザによる前記コンテンツに対する操作に関する情報を含む前記コンテンツに関する情報を取得する
ことを特徴とする請求項１に記載の算出装置。
【請求項３】
前記取得部は、
前記各ユーザによる前記コンテンツを選択する操作が行われた回数に関する情報を含む前記コンテンツに関する情報を取得する
ことを特徴とする請求項２に記載の算出装置。
【請求項４】
前記取得部は、
前記各ユーザにより前記コンテンツに対応するサービスの提供元の利益につながる行動が行われた回数に関する情報を含む前記コンテンツに関する情報を取得する
ことを特徴とする請求項２または請求項３に記載の算出装置。
【請求項５】
前記取得部は、
前記サービスの価格に関する情報を含む前記サービスに関する情報を取得する
ことを特徴とする請求項１〜４のいずれか１項に記載の算出装置。
【請求項６】
前記取得部は、
前記所定の情報提供サービスの提供元が前記サービスの提供元から受け取る手数料に関する情報を含む前記サービスに関する情報を取得する
ことを特徴とする請求項１〜５のいずれか１項に記載の算出装置。
【請求項７】
前記取得部は、
前記所定の施設に関する情報を含む前記サービスに関する情報を取得する
ことを特徴とする請求項１〜６のいずれか１項に記載の算出装置。
【請求項８】
前記取得部は、
前記コンテンツが提供されるユーザに関する情報、または、提供された前記コンテンツの利用情報を取得し、
前記算出部は、
前記ユーザに関する情報、または、前記コンテンツの利用情報に基づいて、前記サービスに関する評価を算出する
ことを特徴とする請求項１〜７のいずれか１項に記載の算出装置。
【請求項９】
前記取得部は、
前記ユーザの属性情報を含む前記ユーザに関する情報を取得する
ことを特徴とする請求項８に記載の算出装置。
【請求項１０】
前記取得部は、
前記ユーザにより指定された日時、または、利用目的に関する情報を含む前記ユーザに関する情報を取得する
ことを特徴とする請求項８または請求項９に記載の算出装置。
【請求項１１】
前記算出部により算出された評価に基づいて、前記コンテンツを提供する提供部、
をさらに備えたことを特徴とする請求項１〜１０のいずれか１項に記載の算出装置。
【請求項１２】
前記提供部は、
各サービスに関する評価に基づいて順位付けされた前記各サービスのコンテンツを提供する
ことを特徴とする請求項１１に記載の算出装置。
【請求項１３】
コンピュータが実行する算出方法であって、
所定の施設において提供されるサービスに関する情報と、所定の情報提供サービスにおいて提供される前記サービスのコンテンツに関する情報を取得する取得工程と、
前記サービスに関する情報と前記コンテンツに関する情報とに基づいて、前記サービスに関する評価を算出する算出工程と、
を含んだことを特徴とする算出方法。
【請求項１４】
所定の施設において提供されるサービスに関する情報と、所定の情報提供サービスにおいて提供される前記サービスのコンテンツに関する情報を取得する取得手順と、
前記サービスに関する情報と前記コンテンツに関する情報とに基づいて、前記サービスに関する評価を算出する算出手順と、
をコンピュータに実行させることを特徴とする算出プログラム。
【発明の詳細な説明】
【技術分野】
【０００１】
本発明は、算出装置、算出方法、及び算出プログラムに関する。
【背景技術】
【０００２】
近年、インターネットの飛躍的な普及に伴い、例えば、ＥＣ（Electronic  Commerce）サイトにおいて宿泊等のサービスを予約する技術が提供されている。また、宿泊サービスを提供するホテル等に関する評価を算出する技術が知られている。
【先行技術文献】
【特許文献】
【０００３】
【特許文献１】特開２００５−０７０９９１号公報
【発明の概要】
【発明が解決しようとする課題】
【０００４】
しかしながら、上記の従来技術では、ユーザに情報提供を行う際に用いられるサービスに関する評価を適切に算出することができるとは限らない。例えば、ユーザからのアンケート結果に基づいて評価を算出する場合、アンケートにコストを要することやユーザの負荷が高くなること等により、サービスに関する評価を適切に算出することが難しい。
【０００５】
本願は、上記に鑑みてなされたものであって、ユーザに情報提供を行う際に用いられるサービスに関する評価を適切に算出する算出装置、算出方法、及び算出プログラムを提供することを目的とする。
【課題を解決するための手段】
【０００６】
本願に係る算出装置は、所定の施設において提供されるサービスに関する情報と、所定の情報提供サービスにおいて提供される前記サービスのコンテンツに関する情報を取得する取得部と、前記サービスに関する情報と前記コンテンツに関する情報とに基づいて、前記サービスに関する評価を算出する算出部と、を備えることを特徴とする。
【発明の効果】
【０００７】
実施形態の一態様によれば、ユーザに情報提供を行う際に用いられるサービスに関する評価を適切に算出することができるという効果を奏する。
【図面の簡単な説明】
【０００８】
【図１】図１は、実施形態に係る算出処理の一例を示す図である。
【図２】図２は、実施形態に係る提供装置の構成例を示す図である。
【図３】図３は、実施形態に係る宿泊施設情報記憶部の一例を示す図である。
【図４】図４は、実施形態に係るコンテンツ情報記憶部の一例を示す図である。
【図５】図５は、実施形態に係るユーザ情報記憶部の一例を示す図である。
【図６】図６は、実施形態に係る算出処理の一例を示すフローチャートである。
【図７】図７は、提供装置の機能を実現するコンピュータの一例を示すハードウェア構成図である。
【発明を実施するための形態】
【０００９】
以下に、本願に係る算出装置、算出方法、及び算出プログラムを実施するための形態（以下、「実施形態」と呼ぶ）について図面を参照しつつ詳細に説明する。なお、この実施形態により本願に係る算出装置、算出方法、及び算出プログラムが限定されるものではない。また、以下の各実施形態において同一の部位には同一の符号を付し、重複する説明は省略される。
【００１０】
（実施形態）
〔１．算出処理〕
図１を用いて、実施形態に係る算出処理の一例について説明する。図１は、実施形態に係る算出処理の一例を示す図である。算出処理においては、提供装置１００が所定の施設において提供されるサービスに関する情報と、所定の情報提供サービスにおいて提供されるサービスのコンテンツに関する情報に基づいて、サービスに関する評価を算出する。図１では、所定の施設がホテル等の宿泊施設（以下、単に「ホテル」ともいう）であり、提供されるサービスが宿泊サービスである場合を示す。また、図１では、提供装置１００は、ユーザが指定した日付及びエリアに対応する宿泊サービスのコンテンツに関するスコアを算出し、スコアに基づく順位で並べられたコンテンツのリスト（一覧情報）を提供する場合を示す。なお、ここでいうコンテンツとは、ホテルにおいて提供される宿泊サービスの内容を示す情報等を含むものとする。なお、コンテンツとは、ホテルにおいて提供される宿泊サービスの広告情報であってもよい。また、図１の例では、宿泊サービスに関する評価を算出する場合を示すが、所定の施設において提供されるサービスであれば、例えばレストランにおける飲食サービス等のどのようなサービスであってもよい。
【００１１】
図１に示すように、提供システム１には、端末装置１０と、提供装置１００とが含まれる。端末装置１０と、提供装置１００とは図示しない所定の通信網を介して、有線または無線により通信可能に接続される。また、図１に示した提供システム１には、複数台の端末装置１０や、複数台の提供装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がユーザが利用するスマートフォンである場合を示す。なお、以下では、端末装置１０をユーザと表記する場合がある。すなわち、以下では、ユーザを端末装置１０と読み替えることもできる。具体的には、図１では、端末装置１０がユーザＩＤ「Ｕ１」により識別されるユーザ（以下、「ユーザＵ１」とする場合がある）が利用するスマートフォンである場合を示す。
【００１３】
また、図１に示す例においては、端末装置１０の画面の表示に応じて、端末装置１０を端末装置１０−１、１０−２として説明する。なお、端末装置１０−１、１０−２は同一の端末装置１０である。また、以下では、端末装置１０−１、１０−２について、特に区別なく説明する場合には、端末装置１０と記載する。
【００１４】
提供装置１００は、サービスに関する情報とコンテンツに関する情報とに基づいて、サービスに関する評価を算出する算出装置である。また、提供装置１００は、端末装置１０から取得したホテル情報要求に対する情報を端末装置１０に提供する情報提供サービスを提供する。図１の例では、提供装置１００は、サービスに対応するコンテンツが並べられた一覧情報を、ホテル情報要求の送信元である端末装置１０へ提供する。また、図１に示す例では、提供装置１００が宿泊施設の予約に関する電子商取引サービスを提供するものとする。
【００１５】
なお、図１では、提供装置１００が情報提供サービスや電子商取引サービスを提供する場合を示すが、外部の情報処理装置が情報提供サービスや電子商取引サービスを提供する場合、提供装置１００は情報提供サービスや電子商取引サービスを提供しなくてもよい。この場合、提供装置１００は、情報提供サービスや電子商取引サービスを提供する外部の情報処理装置等から宿泊施設に関する情報やサービスに関する情報等の各種情報を取得し、取得した情報に基づいて、スコアを算出し、算出したスコアを外部の情報処理装置に提供してもよい。
【００１６】
まず、ユーザＵ１は、端末装置１０−１に表示された宿泊予約サイトＡの入力ページＷ１１を介してホテルに関する条件を入力する。図１に示す例において、端末装置１０−１の画面に表示された入力ページＷ１１中には、宿泊サービスの提供に関するユーザＵ１の指定に関する情報が入力される。例えば、図１の例では、入力欄ＢＸ１１、ＢＸ１２にユーザＵ１が希望する日付及びエリアに関する情報を入力する場合を示す。なお、図１では、説明を簡単にするために、入力ページＷ１１において、入力欄ＢＸ１１、ＢＸ１２により日付及びエリアに関する情報を受け付ける場合を示すが、宿泊日数等の種々の情報を受け付けてもよい。
【００１７】
例えば、ユーザＵ１は、エリアを入力する入力欄ＢＸ１１に「Ａ地域」と入力する。また、例えば、ユーザＵ１は、日付を入力する入力欄ＢＸ１２に「Ｘ月Ｙ日」と入力する。なお、端末装置１０は、入力欄ＢＸ１１や入力欄ＢＸ１２に対する入力を、表示したコンボボックス等による一覧から選択させたり、表示したカレンダー等から日付を選択させたりすることにより受け付けてもよい。その後、ユーザＵ１は、端末装置１０−１の画面に表示された入力ページＷ１１中のボタンＢＴ１１を押下する。
【００１８】
ユーザＵ１によりボタンＢＴ１１が押下された端末装置１０−１は、提供装置１００に日付「Ｘ月Ｙ日」、エリア「Ａ地域」に対応するホテルに関する情報の要求を送信する。これにより、提供装置１００は、ホテル情報要求を取得する（ステップＳ１１）。図１の例では、提供装置１００は、ユーザＵ１が利用する端末装置１０−１から日付「Ｘ月Ｙ日」、エリア「Ａ地域」に対応するホテルに関する情報の要求を取得する。
【００１９】
図１の例では、提供装置１００は、宿泊施設情報記憶部１２１に示すように、各ホテルに関する情報を記憶する。例えば、宿泊施設情報記憶部１２１には、ホテルＡがＡ地域に位置すること等に関する情報が記憶される。
【００２０】
また、図１の例では、提供装置１００は、コンテンツ情報記憶部１２２に示すように、各ホテルが提供する宿泊サービスに対応するコンテンツに関する情報を記憶する。例えば、コンテンツ情報記憶部１２２には、ホテルＡにおいてＸ月Ｙ日に提供されるサービスに対応するコンテンツＣＴ１１等の情報が記憶される。例えば、コンテンツ情報記憶部１２２には、各コンテンツのクリック率を示すＣＴＲ（Click  Through  Ratio）や、各コンテンツに対応するサービスを提供する提供元の利益につながる行動に関する指標（以下、「コンバージョン率」ともいう）を示すＣＶＲ（Conversion  Rate）等の指標値が記憶される。
【００２１】
また、例えば、コンテンツ情報記憶部１２２には、各コンテンツに対応するサービスの価格が記憶される。また、例えば、コンテンツ情報記憶部１２２には、コンテンツを介してコンテンツに対応するサービスの予約や購入等のサービスを提供する提供元の利益につながる行動が行われた場合に予約サービスの提供元が受け取る手数料の割合を示す。例えば、「手数料」は、コンテンツを介してコンテンツに対応するサービスが提供された場合に、予約サービスの提供元が受け取る手数料の割合を示す。例えば、提供装置１００は、コンテンツを介してコンテンツに対応するサービスが提供された場合、サービスを提供する提供元にサービスの価格に手数料を乗算した金額を課金してもよい。なお、図１の例では、説明を簡単にするために、コンテンツの各々に対応づけられる手数料を「０．１」、すなわち１０％とする場合を示すが、コンテンツの各々には異なる値の手数料が対応付けられてもよい。
【００２２】
なお、上述のように、「コンテンツＣＴ＊（＊は任意の数値）」と記載した場合、そのコンテンツはコンテンツＩＤ「ＣＴ＊」により識別されるコンテンツであることを示す。例えば、「コンテンツＣＴ１１」と記載した場合、そのコンテンツはコンテンツＩＤ「ＣＴ１１」により識別されるコンテンツである。
【００２３】
端末装置１０からホテル情報要求を取得した提供装置１００は、ホテル情報要求に対応するホテルを決定（抽出）する（ステップＳ１２）。例えば、提供装置１００は、宿泊施設情報記憶部１２１に記憶されたホテルのうち、Ａ地域に位置するホテルを抽出する。図１の例では、提供装置１００は、宿泊施設情報記憶部１２１に記憶されたホテルのうち、Ａ地域に位置するホテルＡやホテルＢ等を要求に対応するホテルと決定する。
【００２４】
そして、提供装置１００は、ステップＳ１２において決定したホテルにおいて提供される宿泊サービスのうち、情報要求に対応する日付のコンテンツを決定（抽出）する（ステップＳ１３）。例えば、提供装置１００は、コンテンツ情報記憶部１２２に記憶されたコンテンツのうち、日付が「Ｘ月Ｙ日」であり、在庫が残っているコンテンツを抽出する。図１の例では、提供装置１００は、コンテンツ情報記憶部１２２に記憶されたコンテンツのうち、ホテルＡにおいてＸ月Ｙ日に提供されるサービスに対応するコンテンツＣＴ１１やホテルＢにおいてＸ月Ｙ日に提供されるサービスに対応するコンテンツＣＴ２１を要求に対応するコンテンツと決定する。
【００２５】
その後、提供装置１００は、抽出したコンテンツのスコアを算出する（ステップＳ１４）。例えば、提供装置１００は、サービスに関する情報とコンテンツに関する情報とに基づいて、抽出したコンテンツのスコア（評価）を算出する。例えば、提供装置１００は、ホテルに宿泊サービスに関する情報（例えば、価格等）と、宿泊サービスのコンテンツに関する情報（例えば、ＣＴＲやＣＶＲ等）に基づいて、コンテンツに対応するサービスに関するスコア（以下、「コンテンツのスコア」ともいう）を算出する。図１の例では、提供装置１００は、以下の式（１）に基づいて、コンテンツのスコアを算出する。
【００２６】
スコア  ＝  ＣＴＲ×ＣＶＲ×価格×手数料  ・・・  （１）
【００２７】
上記の式（１）の右辺中の「ＣＴＲ」は、対応するコンテンツのクリック率を示す。また、上記の式（１）の右辺中の「ＣＶＲ」は、対応するコンテンツのコンバージョン率を示す。また、上記の式（１）の右辺中の「価格」は、コンテンツに対応するサービスの価格を示す。また、上記の式（１）の右辺中の「手数料」は、コンテンツを介してコンテンツに対応するサービスを提供する提供元の利益につながる行動が行われた場合に予約サービスの提供元が受け取る手数料の割合を示す。
【００２８】
なお、上記の式（１）は一例であり、提供装置１００は、種々の情報を適宜用いてコンテンツのスコアを算出してもよい。なお、この点についての詳細は後述する。図１の例では、提供装置１００は、スコア一覧ＳＣ１１に示すように、上記の式（１）を用いてコンテンツのスコアを算出する。例えば、提供装置１００は、コンテンツＣＴ１１のスコアを以下の式（２）のように算出する。
【００２９】
コンテンツＣＴ１１のスコア  ＝  ０．１×０．０５×５０００×０．１・・・（２）
【００３０】
また、例えば、提供装置１００は、コンテンツＣＴ２１のスコアを以下の式（３）のように算出する。
【００３１】
コンテンツＣＴ２１のスコア  ＝０．０５×０．０６×７５００×０．１・・・（３）
【００３２】
また、例えば、提供装置１００は、コンテンツＣＴ５５のスコアを以下の式（４）のように算出する。
【００３３】
コンテンツＣＴ５５のスコア  ＝  ０．１×０．０５×７０００×０．１・・・（４）
【００３４】
上記の式（２）〜（４）に示すように、図１の例では、提供装置１００は、ホテルＡのコンテンツＣＴ１１のスコアを２．５と算出し、ホテルＢのコンテンツＣＴ２１のスコアを２．２５と算出し、ホテルＫのコンテンツＣＴ５５のスコアを３．５と算出する。このように、提供装置１００は、ＣＴＲやＣＶＲ等のユーザの操作に関する情報を加味したスコアを算出することにより、コンテンツに対応するサービスに関するスコア（評価）を適切に算出することができる。
【００３５】
その後、提供装置１００は、算出したスコアに基づいてコンテンツの順位を決定する（ステップＳ１５）。例えば、提供装置１００は、算出したスコアが高い順にコンテンツの順位を決定する。図１では、提供装置１００は、一覧情報ＬＴ１１に示すように、スコアが最大の「３．５」であるコンテンツＣＴ５５を１位、コンテンツＣＴ５５の次にスコアが高いコンテンツＣＴ１１を２位、コンテンツＣＴ１１の次にスコアが高いコンテンツＣＴ３２を３位に決定する。
【００３６】
その後、提供装置１００は、決定した順位に基づくコンテンツに関する情報を端末装置１０へ提供する（ステップＳ１６）。図１の例では、提供装置１００は、一覧情報ＬＴ１１を端末装置１０−１へ提供する。
【００３７】
提供装置１００から一覧情報ＬＴ１１を提供された端末装置１０は、一覧情報ＬＴ１１を表示する（ステップＳ１７）。図１の例では、端末装置１０−１から端末装置１０−２へ表示が遷移される。
【００３８】
端末装置１０−２の画面には、情報を一覧表示する一覧ページＷ１２が表示される。具体的には、端末装置１０−２の画面には、Ｘ月Ｙ日にＡ地域において提供される宿泊サービスに関する情報を表示する一覧ページＷ１２が表示される。
【００３９】
図１の例では、端末装置１０−２の一覧ページＷ１２中の最上位には、順位が１位であるコンテンツＣＴ５５に対応するホテルＫにおいて提供されるサービスに関する情報が表示される。具体的には、一覧ページＷ１２中の最上位には、ホテルＫにおける朝食付きの宿泊サービスが７０００円で提供されることを示す情報が表示される。また、端末装置１０−２の一覧ページＷ１２中においては、コンテンツＣＴ５５の直下には順位が２位であるコンテンツＣＴ１１に対応するホテルＡにおいて提供されるサービスに関する情報が表示される。具体的には、一覧ページＷ１２中のコンテンツＣＴ５５の直下には、ホテルＡにおける朝食無しの宿泊サービスが５０００円で提供されることを示す情報が表示される。また、一覧ページＷ１２中のコンテンツＣＴ１１の直下には、順位が３位であるコンテンツＣＴ３２に対応するホテルＦにおいて提供されるサービスに関する情報が表示される。このように、図１の例では、端末装置１０−２の一覧ページＷ１２には、Ｘ月Ｙ日にＡ地域において提供される宿泊サービスに関するコンテンツが、順位が高い方から並べて表示される。また、端末装置１０は、例えばユーザＵ１が一覧ページＷ１２に表示されたコンテンツを選択した場合、ユーザＵ１が選択したコンテンツに対応するサービスの予約の確認画面等を表示する。
【００４０】
上述したように、提供装置１００は、ホテルに宿泊サービスに関する情報と、宿泊サービスのコンテンツに関する情報に基づいてスコアを算出することにより、コンテンツに対応するサービスに関するスコア（評価）を適切に算出することができる。このように、提供装置１００は、ＣＴＲやＣＶＲ等のユーザの操作に関する情報やサービスの価格等を加味したスコアを算出することにより、コンテンツに対応するサービスに関するスコア（評価）を適切に算出することができる。このように、提供装置１００は、ユーザに情報提供を行う際に用いられるサービスに関する評価を適切に算出することができる。なお、上述した例では、提供装置１００が上記の式（１）に基づいてスコアを算出する例を示したが、提供装置１００は、種々の情報を適宜用いてスコアの算出を行ってもよい。
【００４１】
例えば、提供装置１００は、上記の式（１）の各要素の重みを変動させてコンテンツのスコアを算出してもよい。例えば、提供装置１００は、下記の式（５）を用いてコンテンツのスコアを算出してもよい。
【００４２】
スコア  ＝  α×（ＣＴＲ×ＣＶＲ×価格×手数料）  ・・・  （５）
【００４３】
上記の式（５）の右辺中の「α」は、所定の重みを示す。例えば、提供装置１００は、目的や用途に応じて重み「α」の値を０より大きく１以下の間で変動させることにより、目的や用途に応じたスコアを算出してもよい。例えば、提供装置１００は、スコアの算出対象となるコンテンツに応じて、重み「α」の値を変動させて、スコアを算出してもよい。例えば、提供装置１００は、スコアの算出対象となるコンテンツに対応するサービスやホテル等に応じて、重み「α」の値を変動させて、スコアを算出してもよい。
【００４４】
例えば、提供装置１００は、ユーザに関する情報に基づいて、サービスに関するスコア（評価）を算出してもよい。例えば、提供装置１００は、ユーザの属性情報を含むユーザに関する情報に基づいて、サービスに関するスコアを算出してもよい。例えば、提供装置１００は、ユーザの性別や年齢等の情報に基づいて、サービスに関するスコアを算出してもよい。
【００４５】
例えば、提供装置１００は、情報提供先となるユーザのユーザ属性に応じて変動するＣＴＲやＣＶＲ等の情報に基づいて、サービスに関するスコアを算出してもよい。例えば、提供装置１００は、ユーザ属性ごとにコンテンツの表示回数やクリック回数や購入回数等を分けて集計されたユーザへの情報提供に関する履歴情報を取得し、ユーザ属性ごとにＣＴＲやＣＶＲ等を算出し、そのＣＴＲやＣＶＲ等に基づいて、情報提供先となるユーザに応じてサービスに関するスコアを算出してもよい。例えば、提供装置１００は、情報提供先となるユーザが２０代男性の場合、２０代男性への情報提供に関する履歴情報に応じて算出されたＣＴＲやＣＶＲに基づいて、２０代男性であるユーザに対応したサービスに関するスコアを算出してもよい。
【００４６】
例えば、提供装置１００は、情報提供先となるユーザに応じてＣＴＲやＣＶＲ等を予測するモデルを用いて、サービスに関するスコアを算出してもよい。例えば、提供装置１００は、コンテンツに関する情報と、情報提供先となるユーザに関する情報とを入力として、入力したコンテンツを情報提供先となるユーザがクリックする確率を予測するモデルを用いてＣＴＲを予測し、予測したＣＴＲに基づいてサービスに関するスコアを算出してもよい。例えば、提供装置１００は、コンテンツに関する情報と、情報提供先となるユーザの行動履歴や属性情報を入力として、入力したコンテンツを情報提供先となるユーザがクリックする確率を予測するモデルを用いてＣＴＲを予測し、予測したＣＴＲに基づいてサービスに関するスコアを算出してもよい。
【００４７】
例えば、提供装置１００は、所定の施設に関する情報を含むサービスに関する情報に基づいて、サービスに関するスコアを算出してもよい。例えば、提供装置１００は、ホテルへのアクセスに関する情報やホテルへのレビューに関する情報等に基づいて、サービスに関するスコアを算出してもよい。例えば、提供装置１００は、コンテンツに対応するサービスが提供されるホテルに関する情報に応じて、上記の式（５）の重み「α」の値を変動させることにより、スコアを算出してもよい。例えば、提供装置１００は、あるホテル（ホテルＸ）への交通アクセスが他のホテルに比べて良い場合、他のホテルに対応するコンテンツのスコアを算出する場合に比べて、ホテルＸに対応するコンテンツのスコアを算出する際には、重み「α」等の値を大きくしてもよい。
【００４８】
また、例えば、提供装置１００は、情報提供先となるユーザのユーザ属性とコンテンツに対応するホテルとの組み合わせに応じて上記の式（５）の重み「α」の値を変動させることにより、情報提供先となるユーザに応じてサービスに関するスコアを算出してもよい。例えば、提供装置１００は、情報提供先となるユーザが女性である場合、女性のユーザの利用率が高いホテルに対応するコンテンツのスコアを算出する際には、他のホテルに対応するコンテンツのスコアを算出する場合に比べて、重み「α」の値を大きくしてもよい。例えば、提供装置１００は、情報提供先となるユーザが高齢者（例えば６０代以上等）である場合、交通アクセスが良いホテルに対応するコンテンツのスコアを算出する際には、他のホテルに対応するコンテンツのスコアを算出する場合に比べて、重み「α」の値を大きくしてもよい。
【００４９】
また、提供装置１００は、ユーザにより指定された日時、または、利用目的に関する情報を含むユーザに関する情報に基づいて、サービスに関するスコアを算出してもよい。例えば、提供装置１００は、ユーザにより指定された日時、または、利用目的に関する情報に応じて、上記の式（５）の重み「α」の値を変動させることにより、サービスに関するスコアを算出してもよい。例えば、提供装置１００は、情報提供先となるユーザの利用目的がビジネスである場合、ビジネスで利用される割合が高いホテルに対応するコンテンツのスコアを算出する際には、他のホテルに対応するコンテンツのスコアを算出する場合に比べて、重み「α」の値を大きくしてもよい。例えば、提供装置１００は、情報提供先となるユーザの利用目的がプライベートである場合、プライベートで利用される割合が高いホテルに対応するコンテンツのスコアを算出する際には、他のホテルに対応するコンテンツのスコアを算出する場合に比べて、重み「α」の値を大きくしてもよい。例えば、提供装置１００は、ユーザの利用目的を入力ページＷ１１におけるユーザの入力等により取得してもよいし、ユーザのホテル予約に至るまでの検索等の行動履歴等に基づいて推定してもよい。また、例えば、提供装置１００は、ユーザの過去の予約情報等に基づいて、ユーザの利用目的を推定してもよい。例えば、提供装置１００は、貸しきりの家族風呂ありのホテルやペット可のホテルを予約（宿泊）した場合、ユーザの利用目的をプライベートと推定し、その予約に至る行動情報やサービスの利用等の種々の行動に関する情報を、ユーザの利用目的「プライベート」における行動情報や利用情報として用いてもよい。また、例えば、提供装置１００は、観光地では無いビジネス街に立地するホテルを予約（宿泊）した場合、ユーザの利用目的をビジネスと推定し、その予約に至る行動情報やサービスの利用等の種々の行動に関する情報を、ユーザの利用目的「ビジネス」における行動情報や利用情報として用いてもよい。また、例えば、提供装置１００は、禁煙ルームと指定してホテルを予約（宿泊）した場合、ユーザの利用目的をプライベート、ビジネス関わらず、その予約に至る行動情報やサービスの利用等の種々の行動に関する情報をユーザの行動情報や利用情報として用いてもよい。なお、上記は一例であり、提供装置１００は、サービスに関するスコアが算出可能であれば、種々の情報等に基づいて、スコアを算出してもよい。
【００５０】
〔２．算出装置の構成〕
次に、図２を用いて、実施形態に係る提供装置１００の構成について説明する。図２は、実施形態に係る提供装置１００の構成例を示す図である。図２に示すように、提供装置１００は、通信部１１０と、記憶部１２０と、制御部１３０とを有する。なお、提供装置１００は、提供装置１００の管理者等から各種操作を受け付ける入力部（例えば、キーボードやマウス等）や、各種情報を表示するための表示部（例えば、液晶ディスプレイ等）を有してもよい。
【００５１】
（通信部１１０）
通信部１１０は、例えば、ＮＩＣ（Network  Interface  Card）等によって実現される。そして、通信部１１０は、ネットワークと有線または無線で接続され、例えば提供システム１に含まれる端末装置１０等との間で情報の送受信を行う。
【００５２】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、宿泊施設情報記憶部１２１と、コンテンツ情報記憶部１２２と、ユーザ情報記憶部１２３とを有する。
【００５３】
（宿泊施設情報記憶部１２１）
実施形態に係る宿泊施設情報記憶部１２１は、宿泊施設（ホテル）に関する情報を記憶する。図３には、宿泊施設情報記憶部１２１に記憶される宿泊施設に関する情報の一例を示す。図３に示すように、宿泊施設情報記憶部１２１は、宿泊施設に関する情報として、「施設ＩＤ」、「宿泊施設」、「アクセス情報」、「施設情報」といった項目が含まれる。
【００５４】
「施設ＩＤ」は、宿泊施設を識別するための識別情報を示す。また、「宿泊施設」は、施設ＩＤにより識別される宿泊施設の名称を示す。また、「アクセス情報」は、対応する宿泊施設へのアクセスに関する情報を示す。例えば、「アクセス情報」には、「場所」や「時間」といった項目が含まれる。また、「施設情報」は、対応する宿泊施設の特徴に関する情報を示す。例えば、「施設情報」には、「温泉」や「ペット」といった項目が含まれる。
【００５５】
例えば、図３に示す例において、施設ＩＤ「Ｈ１」により識別されるホテルは、「ホテルＡ」であることを示す。また、ホテルＡの場所は、「Ａ地域」であり、ホテルＡまでの所要時間は、「Ａ駅から徒歩で５分」であることを示す。また、ホテルＡは、温泉が「有」であり、ペットが「不可」であることを示す。
【００５６】
なお、上記は宿泊施設に関する情報の一例であって、宿泊施設情報記憶部１２１は、宿泊施設に関する情報であれば目的に応じて種々の情報を記憶してもよい。
【００５７】
（コンテンツ情報記憶部１２２）
実施形態に係るコンテンツ情報記憶部１２２は、コンテンツに関する各種情報を記憶する。例えば、コンテンツ情報記憶部１２２は、サービスのコンテンツに関する各種情報を記憶する。図４は、実施形態に係るコンテンツ情報記憶部の一例を示す図である。図４に示すコンテンツ情報記憶部１２２は、「宿泊施設」、「コンテンツＩＤ」、「日付」、「在庫」、「ＣＴＲ」、「ＣＶＲ」、「価格」、「手数料」、「オプション情報」といった項目を有する。また、「オプション情報」には、「朝食」といった項目を有する。「オプション情報」中の「朝食」は、コンテンツに対応するサービスにおいて朝食の提供有無を示す。なお、「オプション情報」は、「朝食」に限らず、「夕食」や「送迎」等の種々の項目を含んでもよい。
【００５８】
「宿泊施設」は、施設ＩＤにより識別される宿泊施設の名称を示す。また、「コンテンツＩＤ」は、宿泊施設において提供されるサービスに対応するコンテンツを識別するための識別情報を示す。「日付」は、対応するコンテンツのサービスが提供される日付を示す。「在庫」は、対応するコンテンツのサービスが提供される日付における在庫数（例えば部屋数）を示す。
【００５９】
また、「ＣＴＲ」は、いわゆるクリック率を示す。例えば、「ＣＴＲ」は、コンテンツＩＤにより識別されるコンテンツを選択する操作（クリック）が行われた回数を、コンテンツが表示された回数で除した値を示す。また、「ＣＶＲ」は、コンテンツＩＤにより識別されるコンテンツに対応するサービスの提供元の利益につながる行動に関する指標を示す。例えば、「ＣＶＲ」は、コンテンツＩＤにより識別されるコンテンツに対応するサービスの購入が行われた回数を、コンテンツが表示された回数で除した値を示す。また、例えば、「ＣＶＲ」は、コンテンツＩＤにより識別されるコンテンツに対応するサービスへの予約が行われた回数を、コンテンツが表示された回数で除した値であってもよい。なお、「ＣＴＲ」及び「ＣＶＲ」は、実際に計測された値が記憶されてもよいし、種々の従来技術により推定された推定ＣＴＲの値や推定ＣＶＲの値が記憶されてもよい。また、「価格」は、コンテンツＩＤにより識別されるコンテンツに対応するサービスの価格を示す。「手数料」は、コンテンツを介してコンテンツに対応するサービスの予約や購入等のサービスを提供する提供元の利益につながる行動が行われた場合に予約サービスの提供元が受け取る手数料の割合を示す。例えば、「手数料」は、コンテンツを介してコンテンツに対応するサービスが提供された場合に、予約サービスの提供元が受け取る手数料の割合を示す。なお、「手数料」は、価格や日付等に応じて変動してもよい。
【００６０】
図４の例は、ホテルＡが提供するサービスには、コンテンツＩＤ「ＣＴ１１」により識別されるコンテンツ（コンテンツＣＴ１１）に対応するサービスが含まれることを示す。コンテンツＣＴ１１に対応するサービスは、提供される日付が「Ｘ月Ｙ日」であり、在庫が「１０（部屋）」であることを示す。
【００６１】
また、図４の例は、コンテンツＣＴ１１は、ＣＴＲが「０．１」であり、ＣＶＲが「０．０５」であり、価格が「５０００」であり、手数料が「０．１」であることを示す。すなわち、図４の例は、コンテンツＣＴ１１は、ＣＴＲが１０％であり、ＣＶＲが５％であり、価格が５０００円であり、手数料が１０％であることを示す。また、図４の例は、コンテンツＣＴ１１に対応するサービスは、朝食が「無」であることを示す。
【００６２】
なお、コンテンツ情報記憶部１２２は、上記に限らず、目的に応じて種々の情報を記憶してもよい。例えば、コンテンツ情報記憶部１２２は、コンテンツに対応するサービスが提供される部屋に関する情報を記憶してもよい。例えば、コンテンツ情報記憶部１２２は、ホテルが複数のタイプの部屋を有する場合、タイプごとの部屋に対応するコンテンツや在庫に関する情報を記憶してもよい。例えば、コンテンツ情報記憶部１２２は、コンテンツに対応するサービスが提供される部屋のサイズや階数等の種々の部屋に関する情報を記憶してもよい。例えば、コンテンツ情報記憶部１２２は、ＣＴＲやＣＶＲの算出に用いる各種情報を記憶してもよい。例えば、コンテンツ情報記憶部１２２は、コンテンツの表示回数やコンテンツが選択された回数やコンテンツに対応するサービスの提供元の利益につながる行動が行われた回数等の種々の情報を記憶してもよい。なお、図４では図示を省略するが、コンテンツ情報記憶部１２２は、各コンテンツのタイトルや説明文等の文字情報やホテルの画像情報等の種々の情報が対応付けて記憶されてもよい。
【００６３】
（ユーザ情報記憶部１２３）
実施形態に係るユーザ情報記憶部１２３は、ユーザに関する各種情報を記憶する。例えば、ユーザ情報記憶部１２３は、ユーザ属性に関する各種情報を記憶する。図５は、実施形態に係るユーザ情報記憶部の一例を示す図である。図５に示すユーザ情報記憶部１２３は、「ユーザＩＤ」、「年齢」、「性別」といった項目が含まれる。
【００６４】
「ユーザＩＤ」は、ユーザを識別するための識別情報を示す。例えば、ユーザＩＤ「Ｕ１」により識別されるユーザは、図１の例に示したユーザＵ１に対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。
【００６５】
例えば、図５に示す例において、ユーザＩＤ「Ｕ１」により識別されるユーザの年齢は、「２０代」であり、性別は、「男性」であることを示す。
【００６６】
なお、ユーザ情報記憶部１２３は、上記に限らず、目的に応じて種々の情報を記憶してもよい。例えば、ユーザ情報記憶部１２３は、ユーザのデモグラフィック属性に関する情報やサイコグラフィック属性に関する情報を記憶してもよい。例えば、ユーザ情報記憶部１２３は、自宅、勤務地、興味・関心、氏名、家族構成、収入等の情報を記憶してもよい。
【００６７】
（制御部１３０）
図２の説明に戻って、制御部１３０は、コントローラ（controller）であり、例えば、ＣＰＵ（Central  Processing  Unit）やＭＰＵ（Micro  Processing  Unit）等によって、提供装置１００内部の記憶装置に記憶されている各種プログラム（算出プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００６８】
図２に示すように、制御部１３０は、取得部１３１と、決定部１３２と、算出部１３３と、提供部１３４とを有し、以下に説明する情報処理の機能や作用を実現または実行する。
【００６９】
（取得部１３１）
例えば、取得部１３１は、各種情報を取得する。例えば、取得部１３１は、宿泊施設情報記憶部１２１やコンテンツ情報記憶部１２２やユーザ情報記憶部１２３から各種情報を取得する。また、取得部１３１は、各種情報を外部の情報処理装置から取得してもよい。
【００７０】
例えば、取得部１３１は、端末装置１０から情報要求を取得する。例えば、取得部１３１は、ユーザＵ１が利用する端末装置１０からホテル情報要求を取得する。図１の例では、取得部１３１は、端末装置１０−１から日付「Ｘ月Ｙ日」、エリア「Ａ地域」に対応するホテルに関する情報の要求を取得する。
【００７１】
例えば、取得部１３１は、所定の施設において提供されるサービスに関する情報と、所定の情報提供サービスにおいて提供されるサービスのコンテンツに関する情報を取得する。例えば、取得部１３１は、コンテンツが提供された各ユーザによるコンテンツに対する操作に関する情報を含むコンテンツに関する情報を取得する。
【００７２】
例えば、取得部１３１は、各ユーザによるコンテンツを選択する操作が行われた回数に関する情報を含むコンテンツに関する情報を取得する。例えば、取得部１３１は、各ユーザによりコンテンツに対応するサービスの提供元の利益につながる行動が行われた回数に関する情報を含むコンテンツに関する情報を取得する。
【００７３】
また、例えば、取得部１３１は、サービスの価格に関する情報を含むサービスに関する情報を取得する。また、例えば、取得部１３１は、所定の情報提供サービスの提供元がサービスの提供元から受け取る手数料に関する情報を含むサービスに関する情報を取得する。また、例えば、取得部１３１は、所定の施設に関する情報を含むサービスに関する情報を取得する。また、例えば、取得部１３１は、コンテンツが提供されるユーザに関する情報、または、提供されたコンテンツの利用情報を取得する。また、例えば、取得部１３１は、ユーザの属性情報を含むユーザに関する情報を取得する。また、例えば、取得部１３１は、ユーザにより指定された日時、または、利用目的に関する情報を含むユーザに関する情報を取得する。
【００７４】
（決定部１３２）
決定部１３２は、種々の情報を決定する。例えば、決定部１３２は、ホテル情報要求に対応する情報を抽出（決定）する。例えば、決定部１３２は、取得部１３１により取得されたホテル情報要求に対応する情報を決定する。例えば、決定部１３２は、端末装置１０から送信されたホテル情報要求に対応する情報を決定する。例えば、決定部１３２は、端末装置１０から送信されたホテル情報要求に対応するコンテンツをコンテンツ情報記憶部１２２から抽出する。例えば、決定部１３２は、算出部１３３により算出されたスコアに基づいて、コンテンツの順位を決定する。
【００７５】
図１の例では、決定部１３２は、ホテル情報要求に対応するホテルを決定（抽出）する。例えば、決定部１３２は、宿泊施設情報記憶部１２１に記憶されたホテルのうち、Ａ地域に位置するホテルを抽出する。図１の例では、決定部１３２は、宿泊施設情報記憶部１２１に記憶されたホテルのうち、Ａ地域に位置するホテルＡやホテルＢ等を要求に対応するホテルと決定する。
【００７６】
また、図１の例では、決定部１３２は、決定したホテルにおいて提供される宿泊サービスのうち、情報要求に対応する日付のコンテンツを決定（抽出）する。図１の例では、決定部１３２は、算出部１３３により算出されたスコアに基づいてコンテンツの順位を決定する。例えば、決定部１３２は、算出部１３３により算出されたスコアが高い順にコンテンツの順位を決定する。図１では、決定部１３２は、一覧情報ＬＴ１１に示すように、スコアが最大の「３．５」であるコンテンツＣＴ５５を１位、コンテンツＣＴ５５の次にスコアが高いコンテンツＣＴ１１を２位、コンテンツＣＴ１１の次にスコアが高いコンテンツＣＴ３２を３位に決定する。
【００７７】
（算出部１３３）
算出部１３３は、種々の情報を算出する。例えば、算出部１３３は、サービスに関する情報とコンテンツに関する情報とに基づいて、サービスに関する評価を算出する。例えば、算出部１３３は、ユーザに関する情報に基づいて、サービスに関する評価を算出する。
【００７８】
図１の例では、算出部１３３は、サービスに関する情報とコンテンツに関する情報とに基づいて、決定部１３２により抽出されたコンテンツのスコア（評価）を算出する。例えば、算出部１３３は、上記の式（１）に基づいて、コンテンツのスコアを算出する。図１の例では、算出部１３３は、スコア一覧ＳＣ１１に示すように、上記の式（１）を用いてコンテンツのスコアを算出する。例えば、算出部１３３は、コンテンツＣＴ１１のスコアを上記の式（２）のように算出する。また、例えば、算出部１３３は、コンテンツＣＴ２１のスコアを上記の式（３）のように算出する。また、例えば、算出部１３３は、コンテンツＣＴ５５のスコアを上記の式（４）のように算出する。
【００７９】
図１の例では、算出部１３３は、ホテルＡのコンテンツＣＴ１１のスコアを２．５と算出し、ホテルＢのコンテンツＣＴ２１のスコアを２．２５と算出し、ホテルＫのコンテンツＣＴ５５のスコアを３．５と算出する。
【００８０】
例えば、算出部１３３は、上記の式（１）の各要素の重みを変動させてコンテンツのスコアを算出してもよい。例えば、算出部１３３は、上記の式（５）を用いてコンテンツのスコアを算出してもよい。例えば、算出部１３３は、目的や用途に応じて重み「α」の値を０より大きく１以下の間で変動させることにより、目的や用途に応じたスコアを算出してもよい。例えば、算出部１３３は、スコアの算出対象となるコンテンツに応じて、重み「α」の値を変動させて、スコアを算出してもよい。例えば、算出部１３３は、スコアの算出対象となるコンテンツに対応するサービスやホテル等に応じて、重み「α」の値を変動させて、スコアを算出してもよい。
【００８１】
例えば、算出部１３３は、ユーザに関する情報に基づいて、サービスに関するスコア（評価）を算出してもよい。例えば、算出部１３３は、ユーザの属性情報を含むユーザに関する情報、または、コンテンツの利用情報に基づいて、サービスに関するスコアを算出してもよい。例えば、算出部１３３は、ユーザの性別や年齢等の情報に基づいて、サービスに関するスコアを算出してもよい。
【００８２】
例えば、算出部１３３は、情報提供先となるユーザのユーザ属性に応じて変動するＣＴＲやＣＶＲ等の情報に基づいて、サービスに関するスコアを算出してもよい。例えば、算出部１３３は、ユーザ属性ごとにコンテンツの表示回数やクリック回数や購入回数等を分けて集計されたユーザへの情報提供に関する履歴情報を取得し、ユーザ属性ごとにＣＴＲやＣＶＲ等を算出し、そのＣＴＲやＣＶＲ等に基づいて、情報提供先となるユーザに応じてサービスに関するスコアを算出してもよい。例えば、算出部１３３は、情報提供先となるユーザが２０代男性の場合、２０代男性への情報提供に関する履歴情報に応じて算出されたＣＴＲやＣＶＲ等に基づいて、２０代男性であるユーザに対応したサービスに関するスコアを算出してもよい。
【００８３】
例えば、算出部１３３は、所定の施設に関する情報を含むサービスに関する情報に基づいて、サービスに関するスコアを算出してもよい。例えば、算出部１３３は、ホテルへのアクセスに関する情報やホテルへのレビューに関する情報等に基づいて、サービスに関するスコアを算出してもよい。例えば、算出部１３３は、コンテンツに対応するサービスが提供されるホテルに関する情報に応じて、上記の式（５）の重み「α」の値を変動させることにより、スコアを算出してもよい。例えば、算出部１３３は、あるホテル（ホテルＸ）への交通アクセスが他のホテルに比べて良い場合、他のホテルに対応するコンテンツのスコアを算出する場合に比べて、ホテルＸに対応するコンテンツのスコアを算出する際には、重み「α」等の値を大きくしてもよい。
【００８４】
また、例えば、算出部１３３は、情報提供先となるユーザのユーザ属性とコンテンツに対応するホテルとの組み合わせに応じて上記の式（５）の重み「α」の値を変動させることにより、情報提供先となるユーザに応じてサービスに関するスコアを算出してもよい。例えば、算出部１３３は、情報提供先となるユーザが女性である場合、女性のユーザの利用率が高いホテルに対応するコンテンツのスコアを算出する際には、他のホテルに対応するコンテンツのスコアを算出する場合に比べて、重み「α」の値を大きくしてもよい。例えば、算出部１３３は、情報提供先となるユーザが高齢者（例えば６０代以上等）である場合、交通アクセスが良いホテルに対応するコンテンツのスコアを算出する際には、他のホテルに対応するコンテンツのスコアを算出する場合に比べて、重み「α」の値を大きくしてもよい。
【００８５】
また、算出部１３３は、ユーザにより指定された日時、または、利用目的に関する情報を含むユーザに関する情報に基づいて、サービスに関するスコアを算出してもよい。例えば、算出部１３３は、ユーザにより指定された日時、または、利用目的に関する情報に応じて、上記の式（５）の重み「α」の値を変動させることにより、サービスに関するスコアを算出してもよい。例えば、算出部１３３は、情報提供先となるユーザの利用目的がビジネスである場合、ビジネスで利用される割合が高いホテルに対応するコンテンツのスコアを算出する際には、他のホテルに対応するコンテンツのスコアを算出する場合に比べて、重み「α」の値を大きくしてもよい。例えば、算出部１３３は、情報提供先となるユーザの利用目的がプライベートである場合、プライベートで利用される割合が高いホテルに対応するコンテンツのスコアを算出する際には、他のホテルに対応するコンテンツのスコアを算出する場合に比べて、重み「α」の値を大きくしてもよい。例えば、算出部１３３は、ユーザの利用目的を入力ページＷ１１におけるユーザの入力等により取得してもよいし、ユーザのホテル予約に至るまでの検索等の行動履歴等に基づいて推定してもよい。なお、上記は一例であり、算出部１３３は、サービスに関するスコアが算出可能であれば、種々の情報等に基づいて、スコアを算出してもよい。
【００８６】
（提供部１３４）
提供部１３４は、外部の情報処理装置へ各種情報を提供する。例えば、提供部１３４は、算出部１３３により算出された評価に基づいて、コンテンツを提供する。例えば、提供部１３４は、各サービスに関する評価に基づいて順位付けされた各サービスのコンテンツを提供する。例えば、提供部１３４は、決定部１３２により決定されたコンテンツを端末装置１０へ提供する。例えば、提供部１３４は、決定部１３２により決定された順位に基づく情報を外部の情報処理装置へ提供する。例えば、提供部１３４は、決定部１３２により決定された順位に基づく情報をホテル情報要求の送信元である端末装置１０へ提供する。
【００８７】
例えば、提供部１３４は、ユーザＵ１が利用する端末装置１０へサービスに関する一覧情報を提供する。例えば、提供部１３４は、決定部１３２により決定された順位に基づく情報を端末装置１０へ提供する。図１の例では、提供部１３４は、一覧情報ＬＴ１１を端末装置１０−１へ提供する。
【００８８】
〔３．算出処理のフロー〕
ここで、図６を用いて、実施形態に係る提供装置１００による算出処理の手順について説明する。図６は、実施形態に係る算出処理の一例を示すフローチャートである。
【００８９】
図６に示すように、提供装置１００は、ホテル情報要求を取得する（ステップＳ１０１）。図１では、提供装置１００は、ユーザＵ１が利用する端末装置１０からホテル情報要求を取得する。
【００９０】
また、提供装置１００は、要求に対応するコンテンツを抽出する（ステップＳ１０２）。図１では、提供装置１００は、ユーザＵ１が指定したＸ月Ｙ日にＡ地域で利用可能なホテルに関するコンテンツを抽出する。
【００９１】
また、提供装置１００は、抽出したコンテンツのスコア（評価）を算出する（ステップＳ１０３）。例えば、提供装置１００は、コンテンツのＣＴＲ等の種々の情報に基づいて各コンテンツのスコアを算出する。図１の例では、提供装置１００は、ホテルＡのコンテンツＣＴ１１のスコアやホテルＢのコンテンツＣＴ２１のスコア等を算出する。
【００９２】
その後、提供装置１００は、算出したスコアに基づいてコンテンツの順位を決定する（ステップＳ１０４）。例えば、提供装置１００は、算出したスコアが高い順にコンテンツの順位を決定する。図１では、提供装置１００は、一覧情報ＬＴ１１に示すように、スコアが最大の「３．５」であるコンテンツＣＴ５５を１位、コンテンツＣＴ５５の次にスコアが高いコンテンツＣＴ１１を２位、コンテンツＣＴ１１の次にスコアが高いコンテンツＣＴ３２を３位に決定する。
【００９３】
その後、提供装置１００は、決定した順位に基づくコンテンツの一覧情報を提供する（ステップＳ１０５）。図１では、提供装置１００は、ユーザＵ１が利用する端末装置１０に一覧情報ＬＴ１１を提供する。
【００９４】
〔４．効果〕
上述してきたように、実施形態に係る提供装置１００は、取得部１３１と、算出部１３３とを有する。取得部１３１は、所定の施設において提供されるサービスに関する情報と、所定の情報提供サービスにおいて提供されるサービスのコンテンツに関する情報を取得する。算出部１３３は、サービスに関する情報とコンテンツに関する情報とに基づいて、サービスに関する評価（実施形態においては「スコア」。以下同じ）を算出する。
【００９５】
これにより、実施形態に係る提供装置１００は、サービスに関する情報とコンテンツに関する情報とに基づいて、サービスに関する評価を算出することにより、ユーザに情報提供を行う際に用いられるサービスに関する評価を適切に算出することができる。
【００９６】
また、実施形態に係る提供装置１００において、取得部１３１は、コンテンツが提供された各ユーザによるコンテンツに対する操作に関する情報を含むコンテンツに関する情報を取得する。
【００９７】
これにより、実施形態に係る提供装置１００は、コンテンツが提供された各ユーザによるコンテンツに対する操作に関する情報を含むコンテンツに関する情報を取得することにより、ユーザに情報提供を行う際に用いられるサービスに関する評価を適切に算出することができる。
【００９８】
また、実施形態に係る提供装置１００において、取得部１３１は、各ユーザによるコンテンツを選択する操作が行われた回数に関する情報を含むコンテンツに関する情報を取得する。
【００９９】
これにより、実施形態に係る提供装置１００は、各ユーザによるコンテンツを選択する操作が行われた回数に関する情報を含むコンテンツに関する情報を取得することにより、ユーザに情報提供を行う際に用いられるサービスに関する評価を適切に算出することができる。
【０１００】
また、実施形態に係る提供装置１００において、取得部１３１は、各ユーザによりコンテンツに対応するサービスの提供元の利益につながる行動が行われた回数に関する情報を含むコンテンツに関する情報を取得する。
【０１０１】
これにより、実施形態に係る提供装置１００は、各ユーザによりコンテンツに対応するサービスの提供元の利益につながる行動が行われた回数に関する情報を含むコンテンツに関する情報を取得することにより、ユーザに情報提供を行う際に用いられるサービスに関する評価を適切に算出することができる。
【０１０２】
また、実施形態に係る提供装置１００において、取得部１３１は、サービスの価格に関する情報を含むサービスに関する情報を取得する。
【０１０３】
これにより、実施形態に係る提供装置１００は、サービスの価格に関する情報を含むサービスに関する情報を取得することにより、ユーザに情報提供を行う際に用いられるサービスに関する評価を適切に算出することができる。
【０１０４】
また、実施形態に係る提供装置１００において、取得部１３１は、所定の情報提供サービスの提供元がサービスの提供元から受け取る手数料に関する情報を含むサービスに関する情報を取得する。
【０１０５】
これにより、実施形態に係る提供装置１００は、所定の情報提供サービスの提供元がサービスの提供元から受け取る手数料に関する情報を含むサービスに関する情報を取得することにより、ユーザに情報提供を行う際に用いられるサービスに関する評価を適切に算出することができる。
【０１０６】
また、実施形態に係る提供装置１００において、取得部１３１は、所定の施設に関する情報を含むサービスに関する情報を取得する。
【０１０７】
これにより、実施形態に係る提供装置１００は、所定の施設に関する情報を含むサービスに関する情報を取得することにより、ユーザに情報提供を行う際に用いられるサービスに関する評価を適切に算出することができる。
【０１０８】
また、実施形態に係る提供装置１００において、取得部１３１は、コンテンツが提供されるユーザに関する情報、または、提供されたコンテンツの利用情報を取得する。算出部１３３は、ユーザに関する情報、または、コンテンツの利用情報に基づいて、サービスに関する評価を算出する。
【０１０９】
これにより、実施形態に係る提供装置１００は、ユーザに関する情報に基づいて、サービスに関する評価を算出することにより、ユーザに情報提供を行う際に用いられるサービスに関する評価を適切に算出することができる。
【０１１０】
また、実施形態に係る提供装置１００において、取得部１３１は、ユーザの属性情報を含むユーザに関する情報を取得する。
【０１１１】
これにより、実施形態に係る提供装置１００は、ユーザの属性情報を含むユーザに関する情報を取得することにより、ユーザに情報提供を行う際に用いられるサービスに関する評価を適切に算出することができる。
【０１１２】
また、実施形態に係る提供装置１００において、取得部１３１は、ユーザにより指定された日時、または、利用目的に関する情報を含むユーザに関する情報を取得する。
【０１１３】
これにより、実施形態に係る提供装置１００は、ユーザにより指定された日時、または、利用目的に関する情報を含むユーザに関する情報を取得することにより、ユーザに情報提供を行う際に用いられるサービスに関する評価を適切に算出することができる。
【０１１４】
また、実施形態に係る提供装置１００は、提供部１３４を有する。提供部１３４は、算出部１３３により算出された評価に基づいて、コンテンツを提供する。
【０１１５】
これにより、実施形態に係る提供装置１００は、算出した評価に基づいて、コンテンツを提供することにより、ユーザに適切な情報提供を行うことができる。
【０１１６】
また、実施形態に係る提供装置１００において、提供部１３４は、各サービスに関する評価に基づいて順位付けされた各サービスのコンテンツを提供する。
【０１１７】
これにより、実施形態に係る提供装置１００は、各サービスに関する評価に基づいて順位付けされた各サービスのコンテンツを提供することにより、ユーザに適切な情報提供を行うことができる。
【０１１８】
〔５．ハードウェア構成〕
上述してきた実施形態に係る提供装置１００は、例えば図７に示すような構成のコンピュータ１０００によって実現される。図７は、提供装置の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１９】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２０】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ提供する。
【０１２１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２２】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２３】
例えば、コンピュータ１０００が実施形態に係る提供装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１２４】
以上、本願の実施形態を図面に基づいて詳細に説明したが、これらは例示であり、発明の開示の行に記載の態様を始めとして、当業者の知識に基づいて種々の変形、改良を施した他の形態で本発明を実施することが可能である。
【０１２５】
〔６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２７】
また、上述してきた実施形態に記載した各処理は、処理内容を矛盾させない範囲で適宜組み合わせることが可能である。
【０１２８】
また、上述してきた「部（section、module、unit）」は、「手段」や「回路」などに読み替えることができる。例えば、取得部は、取得手段や取得回路に読み替えることができる。
【符号の説明】
【０１２９】
１      提供システム
１００  提供装置（算出装置）
１２１  宿泊施設情報記憶部
１２２  コンテンツ情報記憶部
１２３  ユーザ情報記憶部
１３０  制御部
１３１  取得部
１３２  決定部
１３３  算出部
１３４  提供部
１０    端末装置
Ｎ      ネットワーク
【図１】
2018081606.tif 000003
【図２】
2018081606.tif 000004
【図３】
2018081606.tif 000005
【図４】
2018081606.tif 000006
【図５】
2018081606.tif 000007
【図６】
2018081606.tif 000008
【図７】
2018081606.tif 000009